(57)【要約】【課題】人がたくさん入れ代わり立ち代り出入りする所でも、簡単に取り付けや設置が可能な構造にし、杖を置く機会がある場所それぞれの箇所に設置可能にすることである。【解決手段】杖を立て掛けて支持する支持部をＣ字形状にて形成する。更に支持部に棒状の支柱を下方向に取り付けその端部に、底部となる基盤を固設する。また支持部は基本的には一つの杖を立掛けるような小型に形成し、更に杖転倒防止の突起部を設ける。更には、上記の杖の支持部のみを使用し、支柱の部分にスプリングを使用する方法と、他に蛇腹を使用する方法を用い、磁石及びクリップ等を利用して、何処にでも設置して使用できるような構造にする。【選択図】図１
0003106086.tif 000002
【実用新案登録請求の範囲】
【請求項１】
杖を立て掛けて収納する器具であって、杖を立て掛けて支持する支持部がＣ字形状にて形成されており、更に端部には杖の横転防止の突起部を備えていることを特徴とする杖収納具
【請求項２】
請求項１記載の支持部に棒状の支柱を下方向に取り付けその端部に、底部となる基盤を底面と平行になるよう固設し、前記基盤には、略円状の孔を設けていることを特徴とした請求項１記載の杖収納具
【請求項３】
請求項１記載の支持部にスプリングの一方の先端を接合し他方のスプリングの先端に磁石を固設して、磁石が付く金属部に設置して使用できることを特徴とした請求項１記載の杖収納具
【請求項４】
請求項１記載の支持部に蛇腹の一方の先端を接合し、他方の蛇腹の先端に、クリップ７を固設して、何処にでも挟着して使用できることを特徴とした請求項１記載の杖収納具
【考案の詳細な説明】
【技術分野】
【０００１】
本考案は、主に杖を立て掛けて収納する器具に関する。
【背景技術】
【０００２】
一般的に本考案にて示しているのは、高齢者や足の不自由な人たちの利用する杖である。従来杖を収納したり置いたりするときは、傘立てと併用していたり、机や椅子等に立て掛けて置いたりすることが多かった。しかし、傘立てを利用するとなると、杖を差し入れる際には、傘入れ容器の上端まで杖を上げなければならないために、傘を差し入れて収納する動作において、高齢者や足の不自由な人たちが行うには、困難が伴っていた。
【０００３】
また、昨今では外部に対して開いた状態にて、杖を立て掛ける構造になっている杖スタンドもあるが、複数の杖を置くことを目的としているので、設置するスペースなどが必要になり、例えばＡＴＭ・切符売り場・病院の診察時などのスペースに乏しい又は、ヒトが常に入れ代わるような場所では、置く場所がなく、出入り口付近に設置する等になっているため、なかなか利用されていないのが現状である。
【０００４】
また、お年寄りや足の不自由な人が、病院の診察や行政窓口などでの相談の際などに、椅子に腰掛けたりすることが度々あるが、その際にも杖を置くところがなくて困っていた。お年寄りや足の不自由な人たちにとってみると、座る動作をする際にも杖が必要な人も多いため、実際のところ椅子等へ腰掛けた後に、杖を立て掛けるといった状況が多い。しかしながら、現状では机、椅子、カウンター等に立て掛ける為、杖の転倒が暫しみられていた。また、従来型の杖スタンドでは、スペースを必要とするため、椅子の周りにおいて使用するというよりは、玄関等の広いスペースの所に設置するようなものしかなかったため、そうした腰を掛けた後に、簡単に杖を立て掛けることが可能で、省スペースな杖立てが必要になってきていた。
【０００５】
それに伴い昨今では、弾性体に杖の支柱を挟み込む保持具を、椅子などに取り付けて使用する構造になっているものがある。しかしながら、高齢者や足の不自由な人たちの方が使用する際に、杖がきちんと収納できるように挟み込むようにするには、少なからず力が必要であるし、更には挟み込んだ杖を取り出そうとした際には、弾性体でしっかり挟まれて固定されているため、更なる力が必要になってくる。そのような力が加わることによって、弾性体の保持具そのものが、もぎ取られたり、剥ぎ取られたりすることもあり、高齢者や足の不自由な人たちが転倒したりすることもあり、非常に危険であるなどの問題点があった。
【特許文献１】特開２００２−２３８７２５
【特許文献２】特開２００２−１６５６９４
【考案の開示】
【考案が解決しようとする課題】
【０００６】
本考案にて解決しようとする問題点は、人がたくさん入れ代わり立ち代り出入りする所でも、簡単に取り付けや設置が可能な構造にし、杖を置く機会がある場所それぞれの箇所に設置可能にすることである。
【課題を解決するための手段】
【０００７】
上記の課題を解決するため、杖を立て掛けて支持する支持部をＣ字形状にて形成する。更に支持部に棒状の支柱を下方向に取り付けその端部に、底部となる基盤を固設する。また支持部は基本的には一つの杖を立掛けるような小型に形成し、更に杖転倒防止の突起部を設ける。
【０００８】
更には、上記の杖の支持部のみを使用し、支持部にスプリングの一方の先端を接合し他方のスプリングの先端に磁石を固設し、磁石が付く金属部に付けて使用できるような構造にする。他に支持部に蛇腹の一方の先端を接合し、他方の蛇腹の先端にクリップを固設し、何処にでも挟着して使用できるような構造もある。
【考案の効果】
【０００９】
本考案は、上述したような構成になっているので以下のような効果を奏する。
従来の複数の杖立てに比べて省スペースが実現できる。
更には、持ち運びが非常に安易で、何処にでも設置可能になるため、一施設においても、必要な場所に複数設置することが可能となる。
【実施例１】
【００１０】
本考案の実施の形態について図面を参照して説明する。
図１のように、立て掛けて支持する支持部１をＣ字形状に形成し、支持部に棒状の支柱２を下方向に取り付け、その端部に、支柱２と底部となる基盤３とが垂直になるよう基盤３を固設する。更に底部の基盤３には、図１のように、杖の先端部を差し入れた際の杖の転倒防止・先端のズレ防止の為、略円状の孔を形成にして更に安定した設置が可能な構造とする。
【００１１】
支持部１は基本的には一つの杖を立掛けるような小型に形成にすることにより、かなりの省スペースが実現できる。
更に支持部１には、杖の転倒防止の為に、突起部５を形成する。更に誤って衝突等があっても怪我などがないように、又、軽量化を図るために、樹脂やプラスチック等で加工形成することが望ましい。また支柱２は、金属製のパイプやアルミなどを使用することにより、より軽量化が図られるが、ステンレス他、樹脂やプラスチック等を用いてもよい。
その他、本考案の実施において、実現可能な素材を限定するものではない。
【実施例２】
【００１２】
更に図３のように、図１と同様の支持部１に、スプリング９の一方の先端を接合し他方のスプリング９の先端に磁石８を固設する。
【実施例３】
【００１３】
更に図４のように、図１と同様の支持部１に蛇腹６の一方の先端を接合し、他方の蛇腹６の先端には、クリップ７を固設する。もちろん、蛇腹以外でも支柱が傾き等の調節可能なものを用いてもよい。
【産業上の利用可能性】
【００１４】
ＡＴＭ・切符売り場・病院の診察時などにおいては、現在杖立てを常に設置している場所は少なく、傘立てを併用している所が多いのが現状である。本考案の杖立てであれば、一つの施設に必要な箇所すべてに設置することも可能であるため、民間の各施設等の来客者へのサービスや、行政施設などにおいては、行政サービスの向上につながると考えられる。
【図面の簡単な説明】
【００１５】
【図１】実施例１の使用の状態を示した斜視図
【図２】支持部の拡大図
【図３】実施例２の使用の状態を示した上面図
【図４】実施例３の使用の状態を示した斜視図
【符号の説明】
【００１６】
１．  支持部
２．  支柱
３．  基盤
４．  孔
５．  突起部
６．  蛇腹
７．  クリップ
８．  磁石
９．  スプリング
【図１】
0003106086.tif 000003
【図２】
0003106086.tif 000004
【図３】
0003106086.tif 000005
【図４】
0003106086.tif 000006